(57)【要約】【課題】筐体を構成するケース間の防水構造において、デザインの自由度を向上しながら、簡単な構造で筐体を容易に組み立てるようにする。【解決手段】第１のケース１と、第２のケース２と、これら第１のケース１及び第２のケース２間の防水部材１０と、第１のケース１を覆う第１のカバー３と、第２のケース２を覆う第２のカバー４と、を備え、第１のカバー３と第２のカバー４とで、第１のケース１と第２のケース２とを、その間に防水部材１０を挟み込んだ状態で固定する。具体的には、第１のカバー３に、第１のケース１と第２のケース２と防水部材１０を挟み込むための挟み込み部３１を設ける。【選択図】図３
2010050306.tif 000002
【特許請求の範囲】
【請求項１】
第１のケースと、第２のケースと、前記第１のケース及び第２のケース間の防水部材と、前記第１のケースを覆う第１のカバーと、前記第２のケースを覆う第２のカバーと、を備え、
前記第１のカバーと前記第２のカバーとで、前記第１のケースと前記第２のケースとを、その間に前記防水部材を挟み込んだ状態で固定することを特徴とする防水構造。
【請求項２】
前記第１のカバーに、前記第１のケースと前記第２のケースと前記防水部材を挟み込むための挟み込み部を設けたことを特徴とする請求項１に記載の防水構造。
【請求項３】
前記第２のケースと前記第１のカバーに、互いに係合する係合部を設けたことを特徴とする請求項１または２に記載の防水構造。
【請求項４】
前記挟み込み部の内部に補強部材を設けたことを特徴とする請求項２または３に記載の防水構造。
【請求項５】
前記第１のカバーの前記挟み込み部の外側に、当該挟み込み部を撓ませ易くする中空部が形成されていることを特徴とする請求項２から４のいずれか一項に記載の防水構造。
【請求項６】
前記第１のカバーのコーナー部に、前記挟み込み部を撓ませ易くするためのスリットが形成されていることを特徴とする請求項２から５のいずれか一項に記載の防水構造。
【請求項７】
前記第２のカバーは、前記第２のケースに対し係合して固定されることを特徴とする請求項１から６のいずれか一項に記載の防水構造。
【請求項８】
前記第２のカバーは、前記第２のケースに対しネジ止めして固定されることを特徴とする請求項１から７のいずれか一項に記載の防水構造。
【請求項９】
前記第１のケースと前記第２のケースとの間が挟み込まれない部分において、前記第１のケースと前記第２のケースと前記第１のカバーと前記第２のカバーとが別部材により挟み込んで防水されることを特徴とする請求項１から８のいずれか一項に記載の防水構造。
【請求項１０】
請求項１から９のいずれか一項に記載の防水構造による筐体を備えることを特徴とする電子機器。
【発明の詳細な説明】
【技術分野】
【０００１】
本発明は、筐体を構成するケース間の防水構造と、その防水構造による筐体を備える電子機器に関する。
【背景技術】
【０００２】
複数のケースを組み合わせるものであって、ケース間にパッキンを挟み込んで、外周面に設けた溝に、ステンレスなどの断面コの字型の止め具を嵌めて水漏れを防ぐようにした技術がある（特許文献１参照）。
【特許文献１】特開平７−５１６７３号公報
【発明の開示】
【発明が解決しようとする課題】
【０００３】
特許文献１によれば、断面コの字型の止め具で嵌め込んでいるが、止め具が剥き出しになっていると、デザイン上の制約となる。
従って、デザイン自由度を向上するため、止め具を覆う外観部品となるカバーが別部品として必要であり、また、その取り付けは別工程で行う必要もあった。
【０００４】
本発明の課題は、筐体を構成するケース間の防水構造において、デザインの自由度を向上しながら、簡単な構造で筐体を容易に組み立てるようにすることである。
【課題を解決するための手段】
【０００５】
以上の課題を解決するため、請求項１に記載の発明は、第１のケースと、第２のケースと、前記第１のケース及び第２のケース間の防水部材と、前記第１のケースを覆う第１のカバーと、前記第２のケースを覆う第２のカバーと、を備え、前記第１のカバーと前記第２のカバーとで、前記第１のケースと前記第２のケースとを、その間に前記防水部材を挟み込んだ状態で固定する防水構造を特徴とする。
【０００６】
請求項２に記載の発明は、請求項１に記載の防水構造であって、前記第１のカバーに、前記第１のケースと前記第２のケースと前記防水部材を挟み込むための挟み込み部を設けたことを特徴とする。
【０００７】
請求項３に記載の発明は、請求項１または２に記載の防水構造であって、前記第２のケースと前記第１のカバーに、互いに係合する係合部を設けたことを特徴とする。
【０００８】
請求項４に記載の発明は、請求項２または３に記載の防水構造であって、前記挟み込み部の内部に補強部材を設けたことを特徴とする。
【０００９】
請求項５に記載の発明は、請求項２から４のいずれか一項に記載の防水構造であって、前記第１のカバーの前記挟み込み部の外側に、当該挟み込み部を撓ませ易くする中空部が形成されていることを特徴とする。
【００１０】
請求項６に記載の発明は、請求項２から５のいずれか一項に記載の防水構造であって、前記第１のカバーのコーナー部に、前記挟み込み部を撓ませ易くするためのスリットが形成されていることを特徴とする。
【００１１】
請求項７に記載の発明は、請求項１から６のいずれか一項に記載の防水構造であって、前記第２のカバーは、前記第２のケースに対し係合して固定されることを特徴とする。
【００１２】
請求項８に記載の発明は、請求項１から７のいずれか一項に記載の防水構造であって、前記第２のカバーは、前記第２のケースに対しネジ止めして固定されることを特徴とする。
【００１３】
請求項９に記載の発明は、請求項１から８のいずれか一項に記載の防水構造であって、前記第１のケースと前記第２のケースとの間が挟み込まれない部分において、前記第１のケースと前記第２のケースと前記第１のカバーと前記第２のカバーとが別部材により挟み込んで防水されることを特徴とする。
【００１４】
請求項１０に記載の発明は、請求項１から９のいずれか一項に記載の防水構造による筐体を備える電子機器を特徴とする。
【発明の効果】
【００１５】
本発明によれば、デザインの自由度を向上しつつ、簡単な構造で防水筐体を容易に組み立てることができる。
【発明を実施するための最良の形態】
【００１６】
以下、図を参照して本発明を実施するための最良の形態を詳細に説明する。
図１は本発明を適用した電子機器の一実施形態の構成として防水型ミュージックプレイヤーを示したもので、図２はその筐体の分解状態を示したものであり、１は第１のケース、２は第２のケース、３は第１のカバー、４は第２のカバー、５は表示装置、６は回路基板、７は操作キー、８は防水コネクタ、９はエンドキャップである。
【００１７】
図示例において、防水型ミュージックプレイヤーの筐体は、上下対をなす第１のケース１と第２のケース２とから構成され、その第１のケース１を覆う第１のカバー３と、第２のケース２を覆う第２のカバー４と、が備えられている。そして、第１のケース１及び第２のケース２間の内部に表示装置５及び回路基板６等が組み込まれ、第１のケース１上に設けた操作キー７が第１のカバー３上に露出している。
【００１８】
以上において、第１のケース１及び第２のケース２の周囲間に防水部材１０（図３参照）が設けられている。そして、第１のカバー３と第２のカバー４とで、第１のケース１と第２のケース２とを、その間に防水部材１０を挟み込んだ状態で固定する防水構造となっている。
【００１９】
また、第１のケース１及び第２のケース２の長手方向一端部内に防水コネクタ８が設けられ、この防水コネクタ８側の筐体端部は、防水部材１０が存在しない部分となっていて、第１のケース１と第２のケース２と第１のカバー３と第２のカバー４とが別部材のエンドキャップ９により挟み込まれた防水構造とされている。
【００２０】
（実施形態１）
図３は実施形態１の筐体防水構造部を示したもので、第１のケース１の下面周囲に沿ってゴムパッキン等の防水部材１０が一体成形されている。また、第２のケース２の周囲には、防水部材１０に下方から圧接する突出片２１が一体成形されている。なお、第１のケース１には、表示装置５の画面に対応する表示窓１１が防水枠１２を介して一体に取り付けられている。
【００２１】
そして、第１のケース１上に重ねられる第１のカバー３の周囲内面には、第１のケース１の周囲と、第２のケース２の周囲の突出片２１とを、その間に防水部材１０を挟み込んだ状態で固定する溝形状による挟み込み部３１が形成されている。なお、第１のカバー３の周囲下部には、その内側面に沿って下方への延出片３２が形成されている。また、第２のカバー４の周囲上面には、その外側面に沿って上方への延出片４２が形成されている。
【００２２】
筐体の組み立ては、先ず、第１のケース１及び第２のケース２間の内部に表示装置５及び回路基板６等を組み込んで、第１のケース１上に操作キー７を重ねてから、第１のケース１上に第１のカバー３を重ねて、第２のケース２下に第２のカバー４を重ねる。そして、第１のケース１の周囲と、第２のケース２の周囲の突出片２１とを、その間に防水部材１０を挟み込んで圧縮した状態で、第１のカバー３内部の挟み込み部３１に嵌め込む。
【００２３】
このとき、第１のカバー３の周囲は、図３に矢印で示したように、その成形樹脂の弾性により横方向に可動となっているため、第１のケース１周囲と第２のケース２周囲の突出片２１との挟み込み部３１への嵌め込みは容易になされる。
【００２４】
そして、第１のカバー３の周囲下部の内側面に沿った下方への延出片３２に対し、第２のカバー４の周囲上面の外側面に沿った上方への延出片４２が外側に位置しているため、挟み込み部３１が開かないで、第１のケース１周囲と第２のケース２周囲の突出片２１とが外れない外れ防止構造となっている。
【００２５】
図４は筐体コーナー部を示したもので、第１のカバー３のコーナー部外側面には、第１のケース１周囲と第２のケース２周囲の突出片２１を挟み込み部３１に嵌め込む際の抵抗を軽減して、当該挟み込み部３１を撓ませ易くするため、コーナー部の左右両側に対をなすスリット３３が形成されている。
【００２６】
また、第２のカバー４は、図１及び図２に示すように、第２のケース２の下面に４本のネジで固定される。
【００２７】
そして、第１のケース１及び第２のケース２の長手方向一端部内に防水コネクタ８が設けられて、挟み込み部が存在しない部分となっている筐体端部には、前述したように、第１のケース１と第２のケース２と第１のカバー３と第２のカバー４とがエンドキャップ９により挟み込まれている。このエンドキャップ９は、図１及び図２に示すように、第２のケース２の端面に２本のネジで固定された防水構造となっている。
【００２８】
以上、実施形態の筐体防水構造によれば、第１のカバー３と第２のカバー４とで、第１のケース１と第２のケース２とを、その間に防水部材１０を挟み込んだ状態で固定し、すなわち、第１のケース１周囲と第２のケース２周囲の突出片２１とを、その間に防水部材１０を挟み込んで圧縮した状態で、第１のカバー３内部の挟み込み部３１に嵌め込むため、デザインの自由度を向上しつつ、簡単な構造により防水筐体を容易に組み立てることができる。
【００２９】
なお、以上の実施形態では、筐体の一端部をエンドキャップ９による挟み込み防水構造としたが、筐体の全周を防水部材１０の圧縮固定による防水構造としても良い。
また、実施形態では、第１のケース１に防水部材１０を一体成形したが、防水部材１０を第２のケース２に一体成形しても良く、あるいは、防水部材１０を別体として設けても良い。
【００３０】
（実施形態２）
図５は実施形態２の筐体防水構造部を示すもので、前述した実施形態１の図３と同様、１は第１のケース、２は第２のケース、３は第１のカバー、４は第２のカバー、２１は突出片、３１は挟み込み部、３２は延出片、４２は延出片であって、２３は係合凹部、４３は係合突部である。
【００３１】
すなわち、実施形態２は、図示のように、前述した実施形態１の図３と同様の構成に加え、第２のケース２の外側面に、第２のカバー４の内側面と対応する係合突部２３を一体成形する一方、第２のカバー４の内側面には、第２のケース２外側面の係合突部２３と対応する係合凹部４３を形成している。なお、係合突部２３は、係合凹部４３と係合する際のガイド機能を果たす下側向きの傾斜面２３ａを有している。また、係合凹部４３は、係合突部２３の傾斜面２３ａに対応する傾斜面４３ａを有している。
【００３２】
以上の第２のカバー４を第２のケース２に装着する際、第２のカバー４の内側面は、第２のケース２外側面の係合突部２３の下側向きの傾斜面２３ａによってガイドされて、係合突部２３と係合凹部４３とが互いに係合する。従って、第２のケース２の上方への浮きが防止できるとともに、第２のカバー４の外れを防止して、第１のカバー３の挟み込み部３１の開きも防止できる。
【００３３】
（実施形態３）
図６は実施形態３の筐体防水構造部を示すもので、前述した実施形態２（図５）と同様、１は第１のケース、２は第２のケース、３は第１のカバー、４は第２のカバー、２１は突出片、２３は係合凹部、２３ａは傾斜面、３１は挟み込み部、３２は延出片、４２は延出片、４３は係合突部、４３ａは傾斜面であって、２１ａは傾斜面、３１ａは傾斜面である。
【００３４】
すなわち、実施形態３は、図示のように、前述した実施形態２（図５）と同様の構成に加え、第１のカバー３の挟み込み部３１の下面を奥側が低くなる傾斜面３１ａに形成して、第２のケース２の突出片２１の下面を、挟み込み部３１の傾斜面３１ａに対応する傾斜面２１ａに形成している。
【００３５】
従って、第１のカバー３の挟み込み部３１において、その奥側が低くなる傾斜面３１ａに、第２のケース２の突出片２１の傾斜面２１ａが重なって食い込むように係合するため、挟み込み部３１からの突出片２１の外れを防止できる。
【００３６】
（実施形態４）
図７は実施形態４の筐体防水構造部を示すもので、前述した実施形態２（図５）と同様、１は第１のケース、２は第２のケース、３は第１のカバー、４は第２のカバー、２１は突出片、２３は係合凹部、２３ａは傾斜面、３１は挟み込み部、３２は延出片、４２は延出片、４３は係合突部、４３ａは傾斜面であって、２４は係合突起、３４は係合孔である。
【００３７】
すなわち、実施形態４は、図示のように、前述した実施形態２（図５）と同様の構成に加え、第１のカバー３の挟み込み部３１より下側に内外を貫通する係合孔３４を形成して、第２のケース２の突出片２１より下側に、係合孔３４の位置に対応する係合突起２４を形成している。この係合突起２４は、先端にフック状の爪部２４ａを有しており、係合孔３４の手前側には、爪部２４ａの抜けを阻止する爪部３４ａが形成されている。
【００３８】
以上の第１のカバー３を装着する際、第１のケース１周囲と第２のケース２周囲の突出片２１を、その間に防水部材１０を挟み込んで圧縮した状態で、第１のカバー３内部の挟み込み部３１に嵌め込むと同時に、係合突起２４を係合孔３４に挿入する。これにより、係合突起２４先端の爪部２４ａが、係合孔３４手前側の爪部３４ａに係合する。
【００３９】
従って、係合孔３４手前側の爪部３４ａにより係合突起２４先端の爪部２４ａの抜けを防止して、挟み込み部３１からの突出片２１の外れを防止できる。
【００４０】
（実施形態５）
図８は実施形態５の筐体防水構造部を示すもので、前述した実施形態２（図５）と同様、１は第１のケース、２は第２のケース、３は第１のカバー、４は第２のカバー、２１は突出片、２３は係合凹部、２３ａは傾斜面、３１は挟み込み部、３２は延出片、４２は延出片、４３は係合突部、４３ａは傾斜面であって、３５は補強部材である。
【００４１】
すなわち、実施形態５は、図示のように、前述した実施形態２（図５）と同様の構成に加え、第１のカバー３の挟み込み部３１に、その剛性・強度の向上のために金属等による断面コ字型の補強部材３５を組み込んだものである。
【００４２】
従って、第１のカバー３内部の挟み込み部３１に組み込んだ補強部材３５により、第１のケース１周囲と第２のケース２周囲の突出片２１をその間に防水部材１０を挟み込んで圧縮した状態で嵌め込んで、剛性・強度を向上させて保持することができる
【００４３】
図９は基本形状を示す。カバーの素材弾性を利用し、組み付けを行う。
【００４４】
（変形例）
図１０は図９の変形例を示すもので、図示のように、挟み込み部３１の外側に、肉抜き部３６を等間隔等で一体成形している。
【００４５】
図１１は同じく他の変形例を示すもので、図示のように、挟み込み部３１の外側に、肉抜き部３６と外側とを貫通する水抜き孔３８を形成している。このように、肉抜き部３６に水抜き孔３８を設けても良い。
【００４６】
図１２は筐体コーナー部の変形例を示すもので、第１のカバー３のコーナー部において、前述した実施形態１の図４と同様に、対をなすスリット３３を形成した上で、コーナー部の挟み込み部３１及び延出片３２を削除している。このように、第１のカバー３のコーナー部において、挟み込み部３１及び延出片３２を削除しても良い。
【００４７】
（他の変形例）
なお、以上の実施形態においては、防水型ミュージックプレイヤーとしたが、本発明はこれに限定されるものではなく、携帯電話、カメラ、ＰＤＡ、ノートパソコン、ウェアラブルパソコン、電卓、電子辞書など、防水構造を備えた電子機器すべてに用いることができる。
また、挟み込み部、係合部、補強部材、スリットの形状等も任意であり、その他、具体的な細部構造等についても適宜に変更可能であることは勿論である。
【図面の簡単な説明】
【００４８】
【図１】本発明を適用した電子機器の一実施形態の構成を示すもので、防水型ミュージックプレイヤーを正面側から見た斜視図（ａ）、及び背面側から見た斜視図（ｂ）である。
【図２】図１の筐体の分解斜視図である。
【図３】実施形態１の筐体防水構造部を拡大して示した断面図である。
【図４】図１の筐体コーナー部を示した拡大図である。
【図５】実施形態２の筐体防水構造部を示す断面図である。
【図６】実施形態３の筐体防水構造部を示す断面図である。
【図７】実施形態４の筐体防水構造部を示す断面図である。
【図８】実施形態５の筐体防水構造部を示す断面図である。
【図９】第１のカバーの挟み込み部外側の中空部構造を示す斜視図である。
【図１０】同じく中空部構造の変形例を示す斜視図である。
【図１１】同じく中空部構造の他の変形例を示す斜視図である。
【図１２】筐体コーナー部の変形例を示す斜視図である。
【符号の説明】
【００４９】
１  第１のケース
２  第２のケース
３  第１のカバー
４  第２のカバー
１０  防水部材
１１  表示窓
１２  防水枠
２１  突出片
２１ａ  係合部
２３  係合部
２４  係合部
３１  挟み込み部
３１ａ  係合部
３２  延出片
３３  スリット
３４  係合部
３５  補強部材
３６  中空部
３８  水抜き孔
４２  延出片
４３  係合部
【図１】
2010050306.tif 000003
【図２】
2010050306.tif 000004
【図３】
2010050306.tif 000005
【図４】
2010050306.tif 000006
【図５】
2010050306.tif 000007
【図６】
2010050306.tif 000008
【図７】
2010050306.tif 000009
【図８】
2010050306.tif 000010
【図９】
2010050306.tif 000011
【図１０】
2010050306.tif 000012
【図１１】
2010050306.tif 000013
【図１２】
2010050306.tif 000014